(57)【要約】【課題】洗浄力を維持しつつ、低粘度でありながら構造化でき、しかも保存安定性にも優れる液体洗剤の提供。【解決手段】本発明の液体洗剤は、（Ａ）成分：界面活性剤と、（Ｂ）成分：下記一般式（ｂ１）で表される繰り返し単位及び下記一般式（ｂ２）で表される繰り返し単位からなる群より選ばれる１種以上の繰り返し単位と、アクリル酸から誘導された繰り返し単位及びアクリルアミドから誘導された繰り返し単位からなる群より選ばれる１種以上の繰り返し単位とを有するポリマーと、（Ｃ）成分：下記一般式（ｃ１）で表されるモノマーから誘導された繰り返し単位と、下記一般式（ｃ２）で表されるモノマーから誘導された繰り返し単位とを有するポリマーと、を含有し、（Ａ）成分の含有量が１５質量％以上であり、（Ｂ）成分／（Ｃ）成分で表される質量比が０．０５〜１．２５である。［化１］2017075295.tif 000019【選択図】なし【特許請求の範囲】
【請求項１】
（Ａ）成分：界面活性剤と、
（Ｂ）成分：下記一般式（ｂ１）で表される繰り返し単位及び下記一般式（ｂ２）で表される繰り返し単位からなる群より選ばれる１種以上の繰り返し単位と、アクリル酸から誘導された繰り返し単位及びアクリルアミドから誘導された繰り返し単位からなる群より選ばれる１種以上の繰り返し単位とを有するポリマーと、
（Ｃ）成分：下記一般式（ｃ１）で表されるモノマーから誘導された繰り返し単位と、下記一般式（ｃ２）で表されるモノマーから誘導された繰り返し単位とを有するポリマーと、を含有し、
（Ａ）成分の含有量が１５質量％以上であり、
（Ｂ）成分／（Ｃ）成分で表される質量比が０．０５〜１．２５である、液体洗剤。
【化１】
2017075295.tif 000016
（式（ｂ１）中、Ｒ１及びＲ２は、それぞれ独立して炭素数１〜３のアルキル基又は炭素数１〜３のヒドロキシアルキル基であり、Ｘ−は対イオンである。
式（ｂ２）中、Ｒ３及びＲ４は、それぞれ独立して炭素数１〜３のアルキル基又は炭素数１〜３のヒドロキシアルキル基であり、Ｘ−は対イオンである。）
【化２】
2017075295.tif 000017
（式（ｃ１）中、Ｒ５は水素原子又はメチル基であり、Ｒ６は水素原子である。
式（ｃ２）中、Ｒ７は水素原子又はメチル基であり、Ｒ８は炭素数１〜４０のアルキル基である。）
【請求項２】
前記（Ａ）成分は、ノニオン界面活性剤とアニオン界面活性剤とを含み、
前記ノニオン界面活性剤は、下記一般式（ａ１）で表される化合物及び下記一般式（ａ２）で表される化合物からなる群より選ばれる１種以上であり、
前記アニオン界面活性剤は、直鎖アルキルベンゼンスルホン酸、直鎖アルキルベンゼンスルホン酸塩、ポリオキシエチレンアルキルエーテル硫酸塩、炭素数８〜１８の脂肪酸及び炭素数８〜１８の脂肪酸塩からなる群より選ばれる１種以上であり、
前記（Ｂ）成分は、ジアリルジアルキルアンモニウム塩から誘導された繰り返し単位と、アクリルアミドから誘導された繰り返し単位とを有するポリマーである、請求項１に記載の液体洗剤。
【化３】
2017075295.tif 000018
（式（ａ１）中、Ｒ９は炭素数９〜１３の炭化水素基であり、Ｒ１０は炭素数２〜４のアルキレン基であり、Ｒ１１は炭素数１〜４のアルキル基である。ｍはＯＲ１０の平均繰り返し数を示し、５〜２５の数である。
式（ａ２）中、Ｒ１２は炭素数１０〜２２の炭化水素基であり、ＥＯはオキシエチレン基であり、ＰＯはオキシプロピレン基である。ｓはＥＯの平均繰り返し数を示し、５〜２０の数であり、ｔはＰＯの平均繰り返し数を示し、０〜４の数である。）
【発明の詳細な説明】
【技術分野】
【０００１】
本発明は、液体洗剤に関する。
【背景技術】
【０００２】
近年、衣料用洗剤として、液体洗剤が多く用いられるようになってきている。液体洗剤のレオロジー特性を変更させるなどの目的で、液体洗剤に構造化剤を配合して液体洗剤を構造化させることがある。このような構造化剤としては、例えばアクリル酸系高分子が用いられる。
アクリル酸系高分子を含む組成物として、例えば特許文献１には、界面活性剤とアクリル酸系共重合体と水とアルカリ性材料と酸性材料とを含有する、パーソナルケア用途やホームケア用途等に用いられる水性界面活性剤組成物が開示されている。
【先行技術文献】
【特許文献】
【０００３】
【特許文献１】特開２０１４−２８９５７号公報
【発明の概要】
【発明が解決しようとする課題】
【０００４】
しかしながら、液体洗剤にアクリル酸系高分子を配合すると高粘度になりやすく、容器から液体洗剤を吐出しにくくなる等の使用性に劣ることがあった。
このように、粘度の上昇を抑制しつつ、液体洗剤を構造化することは困難であった。
また、近年では、界面活性剤の濃度を高くした濃縮型の液体洗剤が多く用いられているが、水分量が少なくなるため、保存安定性が低下し、液体洗剤に含まれる成分が沈殿したり分離したりしやすかった。
【０００５】
本発明は上記事情を鑑みてなされたものであり、洗浄力を維持しつつ、低粘度でありながら構造化でき、しかも保存安定性にも優れる液体洗剤を提供することを目的とする。
【課題を解決するための手段】
【０００６】
本発明は以下の態様を有する。
［１］  （Ａ）成分：界面活性剤と、（Ｂ）成分：下記一般式（ｂ１）で表される繰り返し単位及び下記一般式（ｂ２）で表される繰り返し単位からなる群より選ばれる１種以上の繰り返し単位と、アクリル酸から誘導された繰り返し単位及びアクリルアミドから誘導された繰り返し単位からなる群より選ばれる１種以上の繰り返し単位とを有するポリマーと、（Ｃ）成分：下記一般式（ｃ１）で表されるモノマーから誘導された繰り返し単位と、下記一般式（ｃ２）で表されるモノマーから誘導された繰り返し単位とを有するポリマーと、を含有し、（Ａ）成分の含有量が１５質量％以上であり、（Ｂ）成分／（Ｃ）成分で表される質量比が０．０５〜１．２５である、液体洗剤。
【０００７】
【化１】
2017075295.tif 000002
【０００８】
式（ｂ１）中、Ｒ１及びＲ２は、それぞれ独立して炭素数１〜３のアルキル基又は炭素数１〜３のヒドロキシアルキル基であり、Ｘ−は対イオンである。
式（ｂ２）中、Ｒ３及びＲ４は、それぞれ独立して炭素数１〜３のアルキル基又は炭素数１〜３のヒドロキシアルキル基であり、Ｘ−は対イオンである。
【０００９】
【化２】
2017075295.tif 000003
【００１０】
式（ｃ１）中、Ｒ５は水素原子又はメチル基であり、Ｒ６は水素原子である。
式（ｃ２）中、Ｒ７は水素原子又はメチル基であり、Ｒ８は炭素数１〜４０のアルキル基である。
【００１１】
［２］  前記（Ａ）成分は、ノニオン界面活性剤とアニオン界面活性剤とを含み、前記ノニオン界面活性剤は、下記一般式（ａ１）で表される化合物及び下記一般式（ａ２）で表される化合物からなる群より選ばれる１種以上であり、前記アニオン界面活性剤は、直鎖アルキルベンゼンスルホン酸、直鎖アルキルベンゼンスルホン酸塩、ポリオキシエチレンアルキルエーテル硫酸塩、炭素数８〜１８の脂肪酸及び炭素数８〜１８の脂肪酸塩からなる群より選ばれる１種以上であり、前記（Ｂ）成分は、ジアリルジアルキルアンモニウム塩から誘導された繰り返し単位と、アクリルアミドから誘導された繰り返し単位とを有するポリマーである、［１］に記載の液体洗剤。
【００１２】
【化３】
2017075295.tif 000004
【００１３】
式（ａ１）中、Ｒ９は炭素数９〜１３の炭化水素基であり、Ｒ１０は炭素数２〜４のアルキレン基であり、Ｒ１１は炭素数１〜４のアルキル基である。ｍはＯＲ１０の平均繰り返し数を示し、５〜２５の数である。
式（ａ２）中、Ｒ１２は炭素数１０〜２２の炭化水素基であり、ＥＯはオキシエチレン基であり、ＰＯはオキシプロピレン基である。ｓはＥＯの平均繰り返し数を示し、５〜２０の数であり、ｔはＰＯの平均繰り返し数を示し、０〜４の数である。
【００１４】
［３］  ノニオン界面活性剤の含有量は、液体洗剤の総質量に対して、１０〜５０質量％である、［２］に記載の液体洗剤。
［４］  アニオン界面活性剤の含有量は、液体洗剤の総質量に対して、２〜２０質量％である、［２］又は［３］に記載の液体洗剤。
［５］  （Ａ）成分の含有量が６０質量％以下である、［１］〜［４］のいずれか１つに記載の液体洗剤。
［６］  （Ｂ）成分の含有量が０．０１〜５質量％である、［１］〜［５］のいずれか１つに記載の液体洗剤。
［７］  （Ｃ）成分の含有量が０．０１〜８質量％である、［１］〜［６］のいずれか１つに記載の液体洗剤。
［８］  水をさらに含有する、［１］〜［７］のいずれか１つに記載の液体洗剤。
［９］  不溶粒子をさらに含有する、［１］〜［８］のいずれか１つに記載の液体洗剤。
［１０］  衣料用である、［１］〜［９］のいずれか１つに記載の液体洗剤。
［１１］  前記（Ａ）成分は、下記一般式（ａ３）で表される化合物及び下記一般式（ａ４）で表される化合物からなる群より選ばれる１種以上であるカチオン界面活性剤をさらに含む、［１］〜［１０］のいずれか１つに記載の液体洗剤。
【００１５】
【化４】
2017075295.tif 000005
【００１６】
式（ａ３）中、Ｒ１３及びＲ１４は、それぞれ独立して水素原子、炭素数１〜２５の炭化水素基又は−（ＣＨ２ＣＨ２Ｏ）ｑ−Ｈで表される基（ｑは１〜２５の整数を表す。）であり、Ｒ１５は炭素数８〜２５の炭化水素基であり、Ｒ１６は水素原子、炭素数１〜３のアルキル基、炭素数１〜３のヒドロキシアルキル基又は−（ＣＨ２ＣＨ２Ｏ）ｒ−Ｈで表される基（ｒは１〜２５の整数を表す。）であり、Ｚ−は対イオンである。
式（ａ４）中、Ｒ１７は炭素数７〜２７の炭化水素基であり、Ｒ１８は炭素数１〜２５の炭化水素基であり、Ｒ１９は炭素数１〜４のアルキル基、炭素数１〜４のヒドロキシアルキル基又は−（ＣＨ２ＣＨ２Ｏ）ｐ−Ｈで表される基（ｐは１〜２５の整数を表す。）である。
【発明の効果】
【００１７】
本発明の液体洗剤は、洗浄力を維持しつつ、低粘度でありながら構造化でき、しかも保存安定性にも優れる。
【発明を実施するための形態】
【００１８】
以下、本発明を詳細に説明する。
本発明の液体洗剤は、以下に示す（Ａ）成分、（Ｂ）成分及び（Ｃ）成分を含有する。
なお、本発明において「構造化」とは、静置状態など力が加わらない状態ではある程度の粘度を有するが、力が加わると粘度が下がり流動性を発現することを意味する。
また、「粘度が低い」とは、回転数６０ｒｐｍで６０秒攪拌した後の粘度が１０００ｍＰａ・ｓ以下を意味する。
【００１９】
＜（Ａ）成分＞
（Ａ）成分は、界面活性剤である。液体洗剤が（Ａ）成分を含有することで、洗浄力（特に皮脂汚れに対する洗浄力）が高まる。
（Ａ）成分としては、ノニオン界面活性剤、アニオン界面活性剤、カチオン界面活性剤、両性界面活性剤などが挙げられる。これらはいずれか１種を単独で用いてもよく、２種以上を併用してもよい。
（Ａ）成分としては、皮脂洗浄力に優れる点で、ノニオン界面活性剤とアニオン界面活性剤とを併用することが好ましい。
【００２０】
（ノニオン界面活性剤）
ノニオン界面活性剤は、主に液体洗剤に洗浄力を付与するために用いられる界面活性剤である。
ノニオン界面活性剤としては特に限定されないが、例えばポリオキシアルキレン型ノニオン界面活性剤、アルキルフェノール、炭素数８〜２２の脂肪酸又は炭素数８〜２２のアミン等のアルキレンオキサイド付加体、ポリオキシエチレンポリオキシプロピレンブロックコポリマー、脂肪酸アルカノールアミン、脂肪酸アルカノールアミド、多価アルコール脂肪酸エステル又はそのアルキレンオキサイド付加体、多価アルコール脂肪酸エーテル、アルキル（又はアルケニル）アミンオキサイド、硬化ヒマシ油のアルキレンオキサイド付加体、糖脂肪酸エステル、Ｎ−アルキルポリヒドロキシ脂肪酸アミド、アルキルグリコシドなどが挙げられる。これらはいずれか１種を単独で用いてもよく、２種以上を併用してもよい。
ノニオン界面活性剤としては、上記の中でも、液体洗剤の粘度を適度に保持しつつ、外観安定性が向上する点で、ポリオキシアルキレン型ノニオン界面活性剤が好ましい。
【００２１】
ポリオキシアルキレン型ノニオン界面活性剤としては、例えば下記一般式（ａ１）で表される化合物（以下、「化合物（ａ１）」という。）、下記一般式（ａ２）で表される化合物（以下、「化合物（ａ２）」という。）などが挙げられる。これらはいずれか１種を単独で用いてもよく、２種以上を併用してもよい。
【００２２】
【化５】
2017075295.tif 000006
【００２３】
式（ａ１）中、Ｒ９は炭素数９〜１３の炭化水素基であり、Ｒ１０は炭素数２〜４のアルキレン基であり、Ｒ１１は炭素数１〜４のアルキル基である。ｍはＯＲ１０の平均繰り返し数を示し、５〜２５の数である。
式（ａ２）中、Ｒ１２は炭素数１０〜２２の炭化水素基であり、ＥＯはオキシエチレン基であり、ＰＯはオキシプロピレン基である。ｓはＥＯの平均繰り返し数を示し、５〜２０の数であり、ｔはＰＯの平均繰り返し数を示し、０〜４の数である。
【００２４】
化合物（ａ１）：
前記式（ａ１）中、Ｒ９における炭化水素基は、直鎖状であっても分岐鎖状であってもよく、又は環状の構造を含んでいてもよい。
また、Ｒ９における炭化水素基は、脂肪族炭化水素基であることが好ましく、直鎖状若しくは分岐鎖状のアルキル基、又は直鎖状若しくは分岐鎖状のアルケニル基がより好ましい。
Ｒ９の炭素数は９〜１３であり、炭素数１０〜１３が好ましく、炭素数１１〜１３がより好ましい。Ｒ９の炭素数が９以上であると、洗浄力がより高まる。一方、Ｒ９の炭素数が１３以下であると、保存安定性が向上し、特にゲル化が抑制されやすくなる。
化合物（ａ１）は、単一鎖長の混合物であってもよく、複数の鎖長の混合物であってもよい。Ｒ９は、原料の脂肪酸（Ｒ９−ＣＯＯＨ）に由来する。
【００２５】
前記式（ａ１）中、Ｒ１１は、炭素数１〜４のアルキル基であり、炭素数１〜３のアルキル基が好ましい。Ｒ１１として具体的には、メチル基、エチル基、ｎ−プロピル基、イソプロピル基、ｎ−ブチル基が挙げられ、メチル基、エチル基が好ましく、メチル基がより好ましい。Ｒ１１の炭素数が１以上であると、低温保存時の析出が抑制されやすくなる。一方、Ｒ１１の炭素数が４以下であると、低温条件下での液体洗剤の水に対する溶解性がより高まる。
【００２６】
前記式（ａ１）中、Ｒ１０は、炭素数２〜４のアルキレン基であり、エチレン基又はプロピレン基が好ましい。
式中の複数のＲ１０は、相互に同じであってもよく異なってもよい。すなわち、Ｒ１０のアルキレン基は、１種単独であってもよく、２種以上が組み合わされていてもよい。中でも、洗浄時の泡立ちがよく、安価であることから、式中のｍ個のＯＲ１０が、全てオキシエチレン基であるか、又はオキシエチレン基とオキシプロピレン基とが混在していることが好ましい。
Ｒ１０のアルキレン基が２種以上組み合わされている場合、ＯＲ１０の付加方法は、特に限定されず、例えばオキシエチレン基とオキシプロピレン基とが混在している場合の付加方法としては、ランダム付加であってもよく、ブロック付加であってもよい。ブロック付加の方法としては、エチレンオキシドを付加した後にプロピレンオキシドを付加する方法、プロピレンオキシドを付加した後にエチレンオキシドを付加する方法、エチレンオキシドを付加した後にプロピレンオキシドを付加してさらにエチレンオキシドを付加する方法等が挙げられる。
【００２７】
前記式（ａ１）中、ｍは、ＯＲ１０の平均繰返し数を示し、５〜２５の数である。ｍが下限値以上であると、洗浄力、特に皮脂汚れに対する洗浄力がより向上する。一方、ｍが上限値以下であると、液体洗剤の水に対する溶解性がより向上する。
ＯＲ１０が全てオキシエチレン基である場合、ｍは、５〜２０が好ましく、１２〜１８がより好ましい。
ＯＲ１０がオキシエチレン基とオキシプロピレン基とが混在している場合、ｍは１２〜２１が特に好ましい。このうち、オキシプロピレン基の平均繰返し数は、５以下が好ましく、４以下がより好ましく、３以下がさらに好ましい。オキシプロピレン基の平均繰返し数が５を超えると、洗浄力、及び液体洗剤としての保存安定性（透明均一性、経時安定性など）が低下するおそれがある。
【００２８】
化合物（ａ１）において、ＯＲ１０の繰返し数が異なる化合物の分布の割合を示すナロー率は、２０質量％以上であることが好ましい。ナロー率の上限値は、実質的には８０質量％以下であることが好ましい。
該ナロー率は、２０〜５０質量％がより好ましく、保存安定性及び水に対する溶解性がより向上することから、３０〜４５質量％がさらに好ましい。
該ナロー率が高いほど、良好な洗浄力が得られやすい。また、該ナロー率が、好ましくは２０質量％以上、特に好ましくは３０質量％以上であると、化合物（ａ１）由来の原料臭気の少ない液体洗剤が得られやすくなる。これは、化合物（ａ１）の製造後、化合物（ａ１）と共存する、化合物（ａ１）の原料である脂肪酸エステルと、前記式（ａ１）中のｍが１又は２のアルキレンオキシド付加体と、が少なくなるためである。
【００２９】
化合物（ａ１）中に不純物として含まれる化合物のうち、化合物（ａ１）の原料である脂肪酸エステルと、前記式（ａ１）中のｍが１又は２のアルキレンオキシド付加体との合計の割合は、化合物（ａ１）の総質量に対して、０．５質量％以下であることが好ましく、０．２質量％以下であることがより好ましい。この割合が０．５質量％以下であると、界面活性剤の原料臭気のより少ない液体洗剤が得られやすくなる。
【００３０】
本明細書において「ナロー率」とは、アルキレンオキシドの付加モル数が異なるアルキレンオキシド付加体の分布の割合を示す、下記の数式（Ｓ）で表される値をいう。
【００３１】
【数１】
2017075295.tif 000007
【００３２】
前記式（Ｓ）において、ｍｍａｘは、化合物（ａ１）全体の中に最も多く存在するアルキレンオキシド付加体のＯＲ１０の繰返し数（付加モル数）を示す。
ｉは、ＯＲ１０の繰返し数を示す。
Ｙｉは、化合物（ａ１）全体の中に存在するアルキレンオキシドの付加モル数がｉであるアルキレンオキシド付加体の割合（質量％）を示す。
【００３３】
前記ナロー率は、例えば、化合物（ａ１）の製造方法等によって制御できる。
化合物（ａ１）の製造方法としては、特に限定されず、例えば表面改質された複合金属酸化物触媒を用いて、脂肪酸アルキルエステルにアルキレンオキシドを付加重合させる方法（特開２０００−１４４１７９号公報参照）により容易に製造することができる。
かかる表面改質された複合金属酸化物触媒の好適なものとしては、具体的には、金属水酸化物等により表面改質された金属イオン（Ａｌ３＋、Ｇａ３＋、Ｉｎ３＋、Ｔｌ３＋、Ｃｏ３＋、Ｓｃ３＋、Ｌａ３＋、Ｍｎ２＋等）が添加された酸化マグネシウム等の複合金属酸化物触媒、あるいは、金属水酸化物及び／又は金属アルコキシド等により表面改質されたハイドロタルサイトの焼成物触媒が挙げられる。
また、前記複合金属酸化物触媒の表面改質においては、複合金属酸化物と、金属水酸化物及び／又は金属アルコキシドと、の混合割合を、複合金属酸化物１００質量部に対して、金属水酸化物及び／又は金属アルコキシドの割合を０．５〜１０質量部とすることが好ましく、１〜５質量部とすることがより好ましい。
【００３４】
化合物（ａ１）の製造方法としては、アルカリ土類金属化合物とオキシ酸等の混合物より調製されるアルコキシル化触媒により、脂肪酸アルキルエステルにアルキレンオキシドを付加する方法もある。上記のアルコキシル化触媒については、特許０４９７７６０９号、国際公開第１９９３／００４０３０号、国際公開第２００２／０３８２６９号、国際公開第２０１２／０２８４３５号等で開示されており、例えば、カルボン酸のアルカリ土類金属塩及び／又はヒドロキシカルボン酸のアルカリ土類金属塩と硫酸等の混合物より調製したアルコキシル化触媒等が挙げられる。
【００３５】
化合物（ａ２）：
前記式（ａ２）中、Ｒ１２における炭化水素基は、直鎖状であっても分岐鎖状であってもよく、又は環状の構造を含んでいてもよい。
また、Ｒ１２における炭化水素基は、脂肪族炭化水素基であることが好ましく、直鎖状若しくは分岐鎖状のアルキル基、又は直鎖状若しくは分岐鎖状のアルケニル基がより好ましい。
Ｒ１２の炭素数は１０〜２０であり、炭素数１２〜１８が好ましく、炭素数１２〜１４がより好ましい。Ｒ１２の炭素数が１０以上であると、洗浄力がより高まる。一方、Ｒ１２の炭素数が２０以下であると、保存安定性が向上し、特にゲル化が抑制されやすくなる。
化合物（ａ２）は、単一鎖長の混合物であってもよく、複数の鎖長の混合物であってもよい。Ｒ１２は、原料のアルコール（Ｒ１２−ＯＨ）に由来する。該アルコールとしては、ヤシ油、パーム油もしくは牛脂などの天然油脂由来のアルコール、又は、石油由来の合成アルコールが挙げられる。
【００３６】
前記式（ａ２）中、ｓは、ＥＯの平均繰返し数を示し、５〜２０の数であり、１２〜１８の数が好ましく、１２〜１６の数がより好ましい。ｓが前記範囲内にあると、液体洗剤の洗浄力、特に皮脂汚れに対する洗浄力がより向上する。
ｔは、ＰＯの平均繰返し数を示し、０〜４の数であり、０〜３の数が好ましく、０であることが特に好ましい。ｔが前記範囲内にあると、液体洗剤のゲル化が抑制されやすくなり、また、すすぎ時に良好な泡切れ性が得られやすい。
【００３７】
前記式（ａ２）において、ＥＯとＰＯとは、ブロック状に付加していてもよく、ランダム状に付加していてもよい。ＥＯとＰＯとがブロック状に付加している場合の付加方法としては、エチレンオキシドを付加した後にプロピレンオキシドを付加する方法、プロピレンオキシドを付加した後にエチレンオキシドを付加する方法、エチレンオキシドを付加した後にプロピレンオキシドを付加してさらにエチレンオキシドを付加する方法等が挙げられる。特に、全自動洗濯機での洗濯におけるすすぎ性がより良好なことから、エチレンオキシドを付加した後にプロピレンオキシドを付加してさらにエチレンオキシドを付加する方法（末端が−Ｏ−ＣＨ２ＣＨ２Ｏ−Ｈとなること）が好ましい。
【００３８】
化合物（ａ２）において、アルキレンオキシド（エチレンオキシド、プロピレンオキシド）の付加モル数分布は特に限定されず、化合物（ａ２）の製造方法等によって制御できる。例えば、水酸化ナトリウムや水酸化カリウム等の一般的なアルカリ触媒を用いてアルキレンオキシドを疎水性原料に付加させた際には、比較的広い付加モル数分布となる傾向にある。また、特公平６−１５０３８号公報に記載されたＡｌ３＋、Ｇａ３＋、Ｉｎ３＋、Ｔｌ３＋、Ｃｏ３＋、Ｓｃ３＋、Ｌａ３＋、Ｍｎ２＋等の金属イオンを添加した酸化マグネシウム等の特定のアルコキシル化触媒を用いてアルキレンオキシドを疎水性原料に付加させた際には、比較的狭い付加モル数分布となる傾向にある。
【００３９】
化合物（Ａ２）の具体例としては、例えば、以下の化合物が挙げられる。
・ライオン株式会社製の商品名レオックスＣＬ−７０（炭素数１２のアルコールと炭素数１４のアルコールとの混合物）又はＳａｓｏｌ社製の商品名Ｓａｆｏｌ２３（炭素数１２のアルコールと炭素数１３のアルコールとの混合物）等のアルコールに対して１２モル又は１５モル相当のＥＯを付加した化合物。
・Ｐ＆Ｇ社製の商品名「ＣＯ−１２１４」や「ＣＯ−１２７０」等の天然アルコールに対して９モル、１２モル又は１５モル相当のＥＯを付加した化合物。
・炭素数１２〜１４の第２級アルコールに対して９モル、１２モル又は１５モル相当のＥＯを付加した化合物（日本触媒社製の商品名「ソフタノール９０」、「ソフタノール１２０」、「ソフタノール１５０」）。
【００４０】
ノニオン界面活性剤としては、特に皮脂汚れに対する洗浄力、高濃度領域でゲル化しにくいこと等の点から、化合物（ａ１）及び化合物（ａ２）成分からなる群より選ばれる少なくとも１種が好ましい。この中でも、化合物（ａ１）と化合物（ａ２）との組合せ、又は化合物（ａ１）を用いることがより好ましい。
化合物（ａ１）としては、上述した中でも、Ｒ１０がエチレン基であるポリオキシエチレン脂肪酸アルキルエステルが好ましく、その中でもＲ１１がメチル基であるポリオキシエチレン脂肪酸メチルエステル（以下、「ＭＥＥ」と記載することがある。）が特に好ましい。
化合物（ａ２）としては、上述した中でも、第２級アルコールにＥＯを付加した第２級アルコールエトキシレート（例えば日本触媒社製のソフタノールシリーズ）が特に好ましい。
これらは高濃度においてもゲル化領域が小さいため、高配合時にゲル化が生じにくい。
また、これらを第１級アルコールに酸化エチレンを付加した第１級アルコールエトキシレートと併用してもよい。
【００４１】
また、液体洗剤がポリオキシエチレン脂肪酸アルキルエステルを含有することにより、水への溶解性が良好となり、高い洗浄力が得られやすいものとなる。また、高濃度の界面活性剤を含有しても粘度の著しい増大（ゲル化）が生じにくく、良好な流動性を有する濃縮型の液体洗剤とすることができる。加えて、触感付与効果も得られる。係る理由は以下のように考えられる。
ポリオキシエチレン脂肪酸アルキルエステル、特にＭＥＥは、水溶液系中で分子同士の配向性が弱く、ミセルが不安定なノニオン界面活性剤であるため、高濃度でゲル化等が生じにくく、１種単独で多量に液体洗剤中に配合することができると推測される。また水への溶解性が向上すると推測される。さらに、高濃度での良好な流動性に寄与していると考えられる。したがって、ポリオキシエチレン脂肪酸アルキルエステルが洗濯機槽内の水中へ投入された場合、洗濯液中のポリオキシエチレン脂肪酸アルキルエステルの濃度は素早く均一となり、洗浄初期から所定の濃度で被洗物と接することができるため、高い洗浄力が得られると考えられる。
【００４２】
ノニオン界面活性剤の含有量は、液体洗剤の総質量に対して、１０〜５０質量％が好ましく、１０〜４０質量％がより好ましく、１５〜３０質量％がさらに好ましい。液体洗剤の総質量に対して、ノニオン界面活性剤の含有量が、１０質量％以上であれば十分な洗浄力が得られ、５０質量％以下であれば増粘が抑制され、液体洗剤の保存安定性をより良好に維持できる。
【００４３】
ノニオン界面活性剤の含有量は、（Ａ）成分の総質量に対して、５〜９５質量％が好ましく、１０〜９０質量％がより好ましく、２０〜８０質量％がさらに好ましい。特に、（Ａ）成分の総質量に対して、ノニオン界面活性剤の含有量が８０質量％以下であれば、保存安定性がより良好となる。
【００４４】
（アニオン界面活性剤）
アニオン界面活性剤は、後述するカチオン界面活性剤と併用することで、衣類の柔軟性を高める目的で配合される。
このような機能を有するアニオン界面活性剤としては、例えば直鎖アルキルベンゼンスルホン酸又はその塩、α−オレフィンスルホン酸塩、直鎖又は分岐鎖のアルキル硫酸エステル塩、アルキルエーテル硫酸エステル塩又はアルケニルエーテル硫酸エステル塩、アルキル基を有するアルカンスルホン酸塩、α−スルホ脂肪酸エステル塩などが挙げられる。これらのアニオン界面活性剤における塩としては、ナトリウム、カリウム等のアルカリ金属塩、マグネシウム等のアルカリ土類金属塩、モノエタノールアミン、ジエタノールアミン等のアルカノールアミン塩などが挙げられる。
【００４５】
直鎖アルキルベンゼンスルホン酸又はその塩としては、直鎖アルキル基の炭素数が８〜１６のものが好ましく、炭素数１０〜１４のものが特に好ましい。
α−オレフィンスルホン酸塩としては、炭素数１０〜２０のものが好ましい。
アルキル硫酸エステル塩としては、アルキル基の炭素数が１０〜２０のものが好ましい。
アルキルエーテル硫酸エステル塩又はアルケニルエーテル硫酸エステル塩としては、炭素数１０〜２０の直鎖又は分岐鎖のアルキル基もしくはアルケニル基を有し、平均１〜１０モルのオキシエチレン基（ＥＯ）を付加したもの、さらに平均０〜６モルのオキシプロピレン基（ＰＯ）を付加したもの（すなわち、ポリオキシエチレン(プロピレン)アルキルエーテル硫酸塩又はポリオキシエチレン(プロピレン)アルケニルエーテル硫酸塩）が好ましい。
ＥＯ及びＰＯの両方が付加された付加体である場合、ＥＯ及びＰＯの付加方法は、特に限定されず、例えばランダム付加であってもよく、ブロック付加でもよい。ブロック付加方法としては、例えば、ＥＯを付加した後、ＰＯを付加する方法；ＰＯを付加した後、ＥＯを付加する方法；ＥＯを付加した後、ＰＯを付加し、さらにＥＯを付加する方法等が挙げられる。
アルカンスルホン酸塩としては、アルキル基の炭素数が１０〜２０のものが好ましく、１４〜１７のものがより好ましい。中でも、該アルキル基が２級アルキル基であるもの（すなわち２級アルカンスルホン酸塩）が特に好ましい。
α−スルホ脂肪酸エステル塩としては、脂肪酸残基の炭素数が１０〜２０のものが好ましい。
【００４６】
これらの中でも、洗浄力と安定性に優れる点で、直鎖アルキルベンゼンスルホン酸又はその塩、アルカンスルホン酸塩、ポリオキシエチレンアルキルエーテル硫酸塩、及びα−オレフィンスルホン酸塩が好ましく、直鎖アルキルベンゼンスルホン酸又はその塩、ポリオキシエチレンアルキルエーテル硫酸塩がより好ましく、ハンドリング性が高く、再汚染防止性能にも優れる点で、直鎖アルキルベンゼンスルホン酸ナトリウム（ＬＡＳ）が特に好ましい。
【００４７】
また、上述したアニオン界面活性剤に加えて、炭素数８〜１８の脂肪酸（高級脂肪酸）又はその塩（高級脂肪酸塩）を併用することが好ましい。
上述したアニオン界面活性剤は、カチオン界面活性剤の共存下において、アニオン−カチオンコンプレックスを形成することがある。アニオン−カチオンコンプレックスは洗浄中の泡膜を安定化させるため消泡性が悪くなり、その結果、すすぎ性が悪くなることがある。高級脂肪酸又はその塩を併用すれば、高級脂肪酸又はその塩が洗濯の水道水中のカルシウムイオンと結合し、泡膜を不安定化することで、すすぎ性を向上させることができる。
高級脂肪酸としては、例えばカプリル酸、カプリン酸、ラウリン酸、ミリスチン酸、パルミチン酸、ステアリン酸、イソステアリン酸、ヒドロキシステアリン酸、オレイン酸、ベヘン酸等の単一脂肪酸の塩、ヤシ油脂肪酸、牛脂脂肪酸等の混合脂肪酸などが挙げられる。
これらの高級脂肪酸における塩としては、ナトリウム塩、カリウム塩等のアルカリ金属塩、アンモニウム塩、モノエタノールアミン塩、ジエタノールアミン塩、トリエタノールアミン塩、２−アミノ−２−メチルプロパノール塩、２−アミノ−２−メチルプロパンジオール等のアルカノールアミン塩、リジン、アルギニン等の塩基性アミノ酸塩などが挙げられる。
【００４８】
アニオン界面活性剤として、上述したアニオン界面活性剤、高級脂肪酸又はその塩以外の他のアニオン界面活性剤を用いてもよい。
他のアニオン界面活性剤としては、例えばアルキルエーテルカルボン酸塩、ポリオキシアルキレンエーテルカルボン酸塩、アルキル（又はアルケニル）アミドエーテルカルボン酸塩、アシルアミノカルボン酸塩等のカルボン酸型アニオン界面活性剤；アルキルリン酸エステル塩、ポリオキシアルキレンアルキルリン酸エステル塩、ポリオキシアルキレンアルキルフェニルリン酸エステル塩、グリセリン脂肪酸エステルモノリン酸エステル塩等のリン酸エステル型アニオン界面活性剤などが挙げられる。
【００４９】
これらのアニオン界面活性剤は、市場において容易に入手することができる。
これらのアニオン界面活性剤はいずれか１種を単独で用いてもよく、２種以上を併用してもよい。
【００５０】
アニオン界面活性剤の含有量は、液体洗剤の総質量に対して、２〜２０質量％が好ましく、５〜２０質量％がより好ましく、８〜１５質量％がさらに好ましい。液体洗剤の総質量に対して、アニオン界面活性剤の含有量が２質量％以上であれば、再汚染防止効果及び（Ａ）成分の分散安定性が十分に発揮される。一方、アニオン界面活性剤の含有量が２０質量％を超えると、対イオンの割合が多くなりすぎることがある。対イオンが多くなりすぎると、ガス吸収量も多くなり、その結果、液体洗剤を収容する容器が凹む場合がある。
【００５１】
アニオン界面活性剤の含有量は、（Ａ）成分の総質量に対して、５〜９５質量％が好ましく、１０〜９０質量％がより好ましく、２０〜８０質量％がさらに好ましい。特に、（Ａ）成分の総質量に対して、アニオン界面活性剤の含有量が２０質量％以上であれば、安定性がより良好となる。一方、アニオン界面活性剤の含有量が８０質量％以下であれば、洗浄力がより良好となる。
【００５２】
（カチオン界面活性剤）
カチオン界面活性剤は、上述したアニオン界面活性剤と併用することで、衣類の柔軟性を高める目的で配合される。
カチオン界面活性剤としては、下記一般式（ａ３）で表される化合物（以下、「化合物（ａ３）」という。）下記一般式（ａ４）で表される化合物（以下、「化合物（ａ４）」という。）などが挙げられる。これらはいずれか１種を単独で用いてもよく、２種以上を併用してもよい。
【００５３】
【化６】
2017075295.tif 000008
【００５４】
式（ａ３）中、Ｒ１３及びＲ１４は、それぞれ独立して水素原子、炭素数１〜２５の炭化水素基又は−（ＣＨ２ＣＨ２Ｏ）ｑ−Ｈで表される基（ｑは１〜２５の整数を表す。）であり、Ｒ１５は炭素数８〜２５の炭化水素基であり、Ｒ１６は水素原子、炭素数１〜３のアルキル基、炭素数１〜３のヒドロキシアルキル基又は−（ＣＨ２ＣＨ２Ｏ）ｒ−Ｈで表される基（ｒは１〜２５の整数を表す。）であり、Ｚ−は対イオンである。
式（ａ４）中、Ｒ１７は炭素数７〜２７の炭化水素基であり、Ｒ１８は炭素数１〜２５の炭化水素基であり、Ｒ１９は炭素数１〜４のアルキル基、炭素数１〜４のヒドロキシアルキル基又は−（ＣＨ２ＣＨ２Ｏ）ｐ−Ｈで表される基（ｐは１〜２５の整数を表す。）である。
【００５５】
化合物（ａ３）：
前記式（ａ３）中、Ｒ１３及びＲ１４は、それぞれ独立して水素原子、炭素数１〜２５の炭化水素基又は−（ＣＨ２ＣＨ２Ｏ）ｑ−Ｈで表される基（ｑは１〜２５の整数を表す。）である。
Ｒ１３及びＲ１４における炭化水素基は、直鎖状であっても分岐鎖状であってもよく、又は環状の構造を含んでいてもよい。Ｒ１３及びＲ１４における炭化水素基は、飽和炭化水素基であってもよく不飽和炭化水素基であってもよい。
Ｒ１３及びＲ１４における炭化水素基は、それぞれ独立に、置換基を有していてもよく、炭素鎖中に連結基を有していてもよい。なお、Ｒ１３及びＲ１４が有していてもよい置換基又は連結基の炭素数は、Ｒ１３及びＲ１４における炭化水素基の炭素数１〜２５に含まれないものとする。該炭化水素基が有していてもよい置換基としては、例えばヒドロキシ基等が挙げられる。該炭素鎖中に有していてもよい連結基としては、アミド基（−Ｃ（＝Ｏ）−ＮＨ−）、エステル基（−Ｃ（＝Ｏ）−Ｏ−）又はエーテル基（−Ｏ−）等が挙げられる。
上記の中でも、Ｒ１３及びＲ１４としては、それぞれ、水素原子、置換基を有していてもよい直鎖状又は分岐鎖状の炭化水素基が好ましい。その中でも、水素原子、炭素数１〜４の直鎖状又は分岐鎖状のアルキル基、炭素数１〜４の直鎖状又は分岐鎖状のヒドロキシアルキル基が好ましく、水素原子、炭素数１〜４の直鎖状又は分岐鎖状のアルキル基がより好ましく、水素原子、メチル基がさらに好ましい。
また、Ｒ１３及びＲ１４としては、それぞれ、炭素鎖中にエステル基を有する、直鎖状もしくは分岐鎖状の炭化水素基も好ましい。
【００５６】
前記式（ａ３）中、Ｒ１５は炭素数８〜２５の炭化水素基である。
Ｒ１５における炭化水素基は、直鎖状であっても分岐鎖状であってもよく、又は環状の構造を含んでいてもよい。
Ｒ１５における炭化水素基の炭素数は、８〜２５であり、１６〜２２が好ましい。
Ｒ１５における炭化水素基は、置換基を有していてもよく、炭素鎖中に連結基を有していてもよい。なお、Ｒ１５が有していてもよい置換基又は連結基の炭素数は、Ｒ１５における炭化水素基の炭素数８〜２５に含まれないものとする。該炭化水素基が有していてもよい置換基としては、例えばヒドロキシ基等が挙げられる。該炭素鎖中に有していてもよい連結基としては、アミド基（−Ｃ（＝Ｏ）−ＮＨ−）、エステル基（−Ｃ（＝Ｏ）−Ｏ−）又はエーテル基（−Ｏ−）等が挙げられ、中でもエステル基が好ましい。
【００５７】
前記式（ａ３）中、Ｒ１６は水素原子、炭素数１〜３のアルキル基、炭素数１〜３のヒドロキシアルキル基又は−（ＣＨ２ＣＨ２Ｏ）ｒ−Ｈで表される基（ｒは１〜２５の整数を表す。）である。
Ｒ１６におけるアルキル基及びヒドロキシアルキル基は、直鎖状であっても分岐鎖状であってもよい。
これらの中でも、Ｒ１６としては、水素原子、炭素数１〜３の直鎖状又は分岐鎖状のアルキル基、炭素数１〜３の直鎖状又は分岐鎖状のヒドロキシアルキル基が好ましく、水素原子、炭素数１〜３の直鎖状又は分岐鎖状のアルキル基がより好ましく、水素原子、メチル基がさらに好ましい。
【００５８】
前記式（ａ３）中、Ｚ−は、対イオンである。
Ｚ−の具体例としては、塩素イオン、臭素イオン、ヨウ素イオン等のハロゲン原子イオン；一般式Ｒ２０ＳＯ４−［式中、Ｒ２０は、炭素数１〜３のアルキル基（例えばメチル基、エチル基、プロピル基等）であり、特に好ましくはメチル基である。］で表されるアニオン等が挙げられる。中でも、ハロゲン原子イオンが好ましく、塩素イオンがより好ましい。
【００５９】
化合物（ａ３）は、いずれか１種を単独で用いてもよく、２種以上を併用してもよい。
化合物（ａ３）の具体例としては、セチルトリメチルアンモニウムクロライド、セトステアリルトリメチルアンモニウムクロライド、ステアリルトリメチルアンモニウムクロライド、ベヘニルトリメチルアンモニウムクロライド等のモノ長鎖アルキル第４級アンモニウム塩；モノエステルアンモニウム塩、ジエステルアンモニウム塩、トリエステルアンモニウム塩等のエステルアンモニウム塩、又はこれらの混合物等が挙げられる。中でも、モノ長鎖アルキル第４級アンモニウム塩が好ましい。
【００６０】
化合物（ａ４）：
前記式（ａ４）中、Ｒ１７は炭素数７〜２７の炭化水素基である。
Ｒ１７における炭化水素基は、直鎖状であっても分岐鎖状であってもよく、又は環状の構造を含んでいてもよい。Ｒ１７における炭化水素基は、飽和炭化水素基であってもよく不飽和炭化水素基であってもよい。
Ｒ１７における炭化水素基の炭素数は、７〜２７であり、７〜２５が好ましい。
Ｒ１７における炭化水素基は、ヒドロキシ基及びアミノ基（−ＮＨ２）からなる群より選ばれる少なくとも１種の置換基を有していてもよく、炭素鎖中に連結基を有していてもよい。なお、Ｒ１７が有していてもよい置換基又は連結基の炭素数は、Ｒ１７における炭化水素基の炭素数７〜２７に含まれないものとする。
Ｒ１７における該炭素鎖中に有していてもよい連結基としては、例えばアミド基（−Ｃ（＝Ｏ）−ＮＨ−）、エステル基（−Ｃ（＝Ｏ）−Ｏ−）、エーテル基（−Ｏ−）が挙げられ、アミド基、エステル基が好ましい。
【００６１】
上記の中でも、Ｒ１７は、炭素鎖中に連結基を有する、炭素数７〜２７の直鎖状又は分岐鎖状の炭化水素基が好ましい。
好ましいＲ１７としては、例えば、−Ｒ２１−Ｒ２２で表される基が挙げられる。
Ｒ２１は、炭素数１〜４の直鎖状又は分岐鎖状のアルキレン基を表す。中でも、炭素数１〜４の直鎖状のアルキレン基が好ましく、炭素数１〜３の直鎖状のアルキレン基がより好ましい。
Ｒ２２は、−ＮＨ−Ｃ（＝Ｏ）−Ｒ２３、又は−Ｏ−Ｃ（＝Ｏ）−Ｒ２４で表される基を表す。
Ｒ２３は、炭素数７〜２３の炭化水素基を表し、好ましくは炭素数７〜２１の炭化水素基を表す。Ｒ２３における炭化水素基は、直鎖状であっても分岐鎖状であってもよく、飽和炭化水素基であっても不飽和炭化水素基であってもよい。
Ｒ２４は、炭素数１１〜２３の炭化水素基を表し、好ましくは炭素数１２〜２０の炭化水素基を表す。Ｒ２４における炭化水素基は、直鎖状であっても分岐鎖状であってもよく、飽和炭化水素基であっても不飽和炭化水素基であってもよい。
【００６２】
前記式（ａ４）中、Ｒ１８は炭素数１〜２５の炭化水素基である。
Ｒ１８における炭化水素基は、直鎖状であっても分岐鎖状であってもよく、又は環状の構造を含んでいてもよい。Ｒ１８における炭化水素基は、飽和炭化水素基であってもよく不飽和炭化水素基であってもよい。
Ｒ１８における炭化水素基の炭素数は、１〜２５であり、１〜２０が好ましく、１〜４がより好ましい。
Ｒ１８における炭化水素基は、置換基としてヒドロキシ基を有していてもよく、炭素鎖中に連結基を有していてもよい。なお、Ｒ１８が有していてもよい連結基の炭素数は、Ｒ１８における炭化水素基の炭素数１〜２５に含まれないものとする。
Ｒ１８における該炭素鎖中に有していてもよい連結基としては、例えばアミド基（−Ｃ（＝Ｏ）−ＮＨ−）、エステル基（−Ｃ（＝Ｏ）−Ｏ−）、エーテル基（−Ｏ−）が挙げられる。
上記の中でも、Ｒ１８は、置換基としてヒドロキシ基を有していてもよい、炭素数１〜２５の直鎖状又は分岐鎖状の炭化水素基が好ましい。その中でも、炭素数１〜４の直鎖状又は分岐鎖状のアルキル基、炭素数１〜４の直鎖状又は分岐鎖状のヒドロキシアルキル基がより好ましく、炭素数１〜４の直鎖状又は分岐鎖状のアルキル基がさらに好ましい。
【００６３】
前記式（ａ４）中、Ｒ１９は、炭素数１〜４のアルキル基、炭素数１〜４のヒドロキシアルキル基又は−（ＣＨ２ＣＨ２Ｏ）ｐ−Ｈで表される基（ｐは１〜２５の整数を表す。）である。
Ｒ１９におけるアルキル基及びヒドロキシアルキル基は、直鎖状であっても分岐鎖状であってもよい。
Ｒ１９としては、炭素数１〜４の直鎖状もしくは分岐鎖状のアルキル基、炭素数１〜４の直鎖状もしくは分岐鎖状のヒドロキシアルキル基が好ましく、炭素数１〜４の直鎖状もしくは分岐鎖状のアルキル基がより好ましい。
【００６４】
化合物（ａ４）は、いずれか１種を単独で用いてもよく、２種以上を併用してもよい。
化合物（ａ４）の中でも、下記一般式（ａ４−１）で表される化合物又はその塩が好ましい。
【００６５】
【化７】
2017075295.tif 000009
【００６６】
式（ａ４−１）中、Ｒ２５及びＲ２６は、それぞれ独立に、炭素数１〜４のアルキル基又は炭素数１〜４のヒドロキシアルキル基を表す。Ｒ２１は炭素数１〜４のアルキレン基を表す。Ｒ２２は−ＮＨ−Ｃ（＝Ｏ）−Ｒ２３、又は−Ｏ−Ｃ（＝Ｏ）−Ｒ２４で表される基を表す。Ｒ２３は炭素数７〜２３の炭化水素基を表す。Ｒ２４は炭素数１１〜２３の炭化水素基を表す。
【００６７】
前記式（ａ４−１）中、Ｒ２５及びＲ２６は、それぞれ、炭素数１〜４の直鎖状もしくは分岐鎖状のアルキル基が好ましく、炭素数１〜４の直鎖状のアルキル基がより好ましく、炭素数１〜３の直鎖状のアルキル基がさらに好ましく、メチル基が特に好ましい。
前記式（ａ４−１）中、Ｒ２１、Ｒ２２、Ｒ２３、Ｒ２４については、上述した説明と同じである。
【００６８】
化合物（ａ４）は、いずれか１種を単独で用いてもよく、２種以上を併用してもよい。
化合物（ａ４）の具体例としては、カプリル酸ジメチルアミノプロピルアミド、カプリン酸ジメチルアミノプロピルアミド、ラウリン酸ジメチルアミノプロピルアミド、ミリスチン酸ジメチルアミノプロピルアミド、パルミチン酸ジメチルアミノプロピルアミド、ステアリン酸ジメチルアミノプロピルアミド、ベヘニン酸ジメチルアミノプロピルアミド、オレイン酸ジメチルアミノプロピルアミド等の長鎖脂肪族アミドジアルキル３級アミン；パルミチン酸ジエタノールアミノプロピルアミド、ステアリン酸ジエタノールアミノプロピルアミド等の長鎖脂肪族アミドジアルカノール３級アミン；パルミテートエステルプロピルジメチルアミン、ステアレートエステルプロピルジメチルアミン等の脂肪族エステルジアルキル３級アミン；ラウリルジメチルアミン、ミリスチルジメチルアミン、ヤシアルキルジメチルアミン、パルミチルジメチルアミン、牛脂アルキルジメチルアミン、硬化牛脂アルキルジメチルアミン、ステアリルジメチルアミン、ステアリルジエタノールアミン、ポリオキシエチレン硬化牛脂アルキルアミンなどが挙げられる。
【００６９】
これらのカチオン界面活性剤は、いずれか１種を単独で用いてもよく、２種以上を併用してもよい。
【００７０】
（両性界面活性剤）
両性界面活性剤としては、例えばアルキルベタイン型、アルキルアミドベタイン型、イミダゾリン型、アルキルアミノスルホン型、アルキルアミノカルボン酸型、アルキルアミドカルボン酸型、アミドアミノ酸型、リン酸型両性界面活性剤などが挙げられる。
これらの両性界面活性剤は、いずれか１種を単独で用いてもよく、２種以上を併用してもよい。
【００７１】
＜（Ｂ）成分＞
（Ｂ）成分は、下記一般式（ｂ１）で表される繰り返し単位及び下記一般式（ｂ２）で表される繰り返し単位からなる群より選ばれる１種以上の繰り返し単位（以下、「繰り返し単位（ｂ３）」という。）と、アクリル酸から誘導された繰り返し単位及びアクリルアミドから誘導された繰り返し単位からなる群より選ばれる１種以上の繰り返し単位（以下、「繰り返し単位（ｂ４）」という。）とを有するポリマーである。（Ｂ）成分は、構造化剤の役割を果たす。液体洗剤が（Ｂ）成分を含有することで液体洗剤が構造化する。よって、例えば液体洗剤が後述する不溶粒子を含有する場合、液体洗剤中に不溶粒子を均一分散でき、その状態を維持できる。加えて、液体洗剤の保存安定性も高まる。
【００７２】
【化８】
2017075295.tif 000010
【００７３】
式（ｂ１）中、Ｒ１及びＲ２は、それぞれ独立して炭素数１〜３のアルキル基又は炭素数１〜３のヒドロキシアルキル基であり、Ｘ−は対イオンである。
式（ｂ２）中、Ｒ３及びＲ４は、それぞれ独立して炭素数１〜３のアルキル基又は炭素数１〜３のヒドロキシアルキル基であり、Ｘ−は対イオンである。
【００７４】
なお、繰り返し単位（ｂ３）は、下記一般式（ｂ３）で表されるジアルキルジアリルアンモニウム塩を含むモノマー成分を重合したときに、該ジアルキルジアリルアンモニウム塩に由来する繰り返し単位である。
【００７５】
【化９】
2017075295.tif 000011
【００７６】
式中、Ｒ２７、Ｒ２８は、それぞれ独立して、炭素数１〜３のアルキル基または炭素数１〜３のヒドロキシアルキル基であり、Ｘ−は対イオンである。
【００７７】
上記一般式（ｂ１）、（ｂ２）及び（ｂ３）におけるＸ−としては、塩素イオン、臭素イオン等のハロゲンイオン、硫酸イオン、硝酸イオン、亜硫酸イオン等の無機酸イオン、メチル硫酸イオン、酢酸イオン、乳酸イオン等の有機酸イオン等が挙げられる。
【００７８】
アクリル酸から誘導された繰り返し単位は、アクリル酸またはその誘導体を含むモノマー成分を重合したときに、アクリル酸またはその誘導体に由来する繰り返し単位である。
アクリル酸の誘導体としては、例えばアクリル酸アルキル、メタクリル酸アルキルなどが挙げられる。
【００７９】
アクリルアミドから誘導された繰り返し単位は、アクリルアミドまたはその誘導体を含むモノマー成分を重合したときに、アクリルアミドまたはその誘導体に由来する繰り返し単位である。
【００８０】
（Ｂ）成分の質量平均分子量は、通常１，０００〜５，０００，０００であり、３，０００〜２，０００，０００が好ましく、１０，０００〜２,０００，０００がより好ましい。なお、本明細書における質量平均分子量は、ポリエチレングリコールを標準物質として、ゲル浸透クロマトグラフィー（ＧＰＣ）により求めた値を意味する。
【００８１】
（Ｂ）成分の重合の形態は、特に限定されず、ブロック重合、ランダム重合又はグラフト重合のいずれであってもよい。
（Ｂ）成分中の繰り返し単位（ｂ３）と繰り返し単位（ｂ４）との含有比は特に限定されないが、繰り返し単位（ｂ３）と繰り返し単位（ｂ４）とのモル比（繰り返し単位（ｂ３）：繰り返し単位（ｂ４））が、１：９〜７：３となる比率が好ましく、より好ましくは２：８〜６：４である。
【００８２】
（Ｂ）成分としては、構造化、保存安定性の点で、ジアリルジアルキルアンモニウム塩から誘導された繰り返し単位と、アクリルアミドから誘導された繰り返し単位とを有するポリマーが好ましく、具体的には、ジアリルジメチルアンモニウムクロライド・アクリルアミドコポリマー、ジアリルジメチルアンモニウムクロライド・アクリルアミド・アクリル酸コポリマーなどがより好ましい。
これらのポリマーとしては、合成品を用いてもよいし、市販品を用いてもよい。
【００８３】
（Ｂ）成分は、通常のラジカル重合により製造できる。例えば、ジアリルジメチルアンモニウムクロライドや、アクリルアミド等の（Ｂ）成分を構成するモノマーを、塊状重合、溶液重合、乳化重合、懸濁重合等の重合方法により重合することで製造できる。また、重合の際には、通常のラジカル重合に用いられる重合開始剤を使用することが好ましく、例えば、ベンゾイルパーオキサイド、過硫酸カリウム等の過酸化物、アゾビスイソブチロニトリル、アゾビスシアノ吉草酸等のアゾ化合物を用いることができる。
【００８４】
上記コポリマーの市販品としては、例えばＬｕｂｒｉｚｏｌ社製の商品名「マーコート５５０」、「マーコート７４０」、「マーコート２２００」等が挙げられる。
また、上記ターポリマーの市販品としては、例えばＬｕｂｒｉｚｏｌ社製の商品名「マーコート３３３０」、「マーコート３９４０」等が挙げられる。
これらの（Ｂ）成分は、いずれか１種を単独で用いてもよく、２種以上を併用してもよい。
【００８５】
＜（Ｃ）成分＞
（Ｃ）成分は、下記一般式（ｃ１）で表されるモノマーから誘導された繰り返し単位と、下記一般式（ｃ２）で表されるモノマーから誘導された繰り返し単位とを有するポリマーである。（Ｃ）成分は、構造化剤の役割を果たす。液体洗剤が（Ｃ）成分を含有することで液体洗剤が構造化する。よって、例えば液体洗剤が後述する不溶粒子を含有する場合、液体洗剤中に不溶粒子を均一分散でき、その状態を維持できる。加えて、液体洗剤の保存安定性や再汚染防止性も高まる。
【００８６】
【化１０】
2017075295.tif 000012
【００８７】
式（ｃ１）中、Ｒ５は水素原子又はメチル基であり、Ｒ６は水素原子である。
式（ｃ２）中、Ｒ７は水素原子又はメチル基であり、Ｒ８は炭素数１〜４０のアルキル基である。
【００８８】
一般式（ｃ１）で表されるモノマーから誘導された繰り返し単位は、一般式（ｃ１）で表されるモノマーを含むモノマー成分を重合したときに、一般式（ｃ１）で表されるモノマーに由来する繰り返し単位である。
一般式（ｃ１）で表されるモノマーとしては、例えば、アクリル酸、メタクリル酸が挙げられる。
これらの一般式（ｃ１）で表されるモノマーは、いずれか１種を単独で用いてもよく、２種以上を併用してもよい。
【００８９】
前記式（ｃ２）中、Ｒ７は、水素原子又はメチル基である。
前記式（ｃ２）中、Ｒ８におけるアルキル基は、直鎖状であっても分岐鎖状であってもよく、又は環状の構造を含んでいてもよい。
Ｒ８におけるアルキル基の炭素数は、１〜４０であり、炭素数１〜２０が好ましく、炭素数１〜１０がより好ましい。
【００９０】
一般式（ｃ２）で表されるモノマーから誘導された繰り返し単位は、一般式（ｃ２）で表されるモノマーを含むモノマー成分を重合したときに、一般式（ｃ２）で表されるモノマーに由来する繰り返し単位である。
一般式（ｃ２）で表されるモノマーとしては、例えば、アクリル酸メチル、アクリル酸エチル、アクリル酸ｎ−プロピル、アクリル酸ｎ−ブチル、アクリル酸オクチル、アクリル酸デシル、アクリル酸ドデシル、アクリル酸イコシル等のアクリル酸エステル；、メタクリル酸メチル、メタクリル酸エチル、メタクリル酸ｎ−プロピル、メタクリル酸ｎ−ブチル、メタクリル酸オクチル、メタクリル酸デシル、メタクリル酸ドデシル、メタクリル酸イコシル等のメタクリル酸エステルが挙げられる。
これらの一般式（ｃ２）で表されるモノマーは、いずれか１種を単独で用いてもよく、２種以上を併用してもよい。
【００９１】
（Ｃ）成分は、架橋されているものでもよく、架橋されていないものでもよいが、架橋されているものが好ましい。
（Ｃ）成分の架橋されているものとしては、例えば、架橋剤により架橋されているもの（高分子架橋体）が挙げられる。
前記の架橋剤としては、例えばアリルエーテル化合物が好適に挙げられる。
アリルエーテル化合物としては、アリルエーテル、糖のアリルエーテル、糖アルコールのアリルエーテル等が挙げられる。
糖のアリルエーテルにおける糖としては、例えばスクロース等が挙げられる。
糖アルコールのアリルエーテルにおける糖アルコールとしては、例えばペンタエリスリトール等が挙げられる。
【００９２】
（Ｃ）成分は、いずれか１種を単独で用いてもよく、２種以上を併用してもよい。
また、（Ｃ）成分は、一般式（ｃ１）で表されるモノマーから誘導された繰り返し単位及び一般式（ｃ２）で表されるモノマーから誘導された繰り返し単位以外の繰り返し単位（他の繰り返し単位）を有していてもよい。
他の繰り返し単位としては、他のモノマーから誘導された繰り返し単位が挙げられる。
他のモノマーとしては、一般式（ｃ１）で表されるモノマー及び一般式（ｃ２）で表されるモノマーと共重合可能であれば特に制限されず、１種以上を用いることができる。
【００９３】
（Ｃ）成分の具体例としては、例えば以下の商品名が挙げられる。
架橋タイプの（Ｃ）成分の市販品としては、例えばＬｕｂｒｉｚｏｌ社製のアクリル酸アルキル、メタクリル酸アルキル、アクリル酸及びメタクリル酸から選ばれる２種類以上のモノマーからなる架橋型共重合体である商品名「Ｃａｒｂｏｐｏｌ  Ａｑｕａ３０」；Ｌｕｂｒｉｚｏｌ社製のアクリル酸アルキル(Ｃ１〜Ｃ４及びＣ８)、メタクリル酸アルキル（Ｃ１〜Ｃ４及びＣ８）、アクリル酸及びメタクリル酸から選ばれる２種類以上のモノマーからなる架橋型共重合体である「Ｃａｒｂｏｐｏｌ  Ａｑｕａ  ＳＦ−１」；Ｌｕｂｒｉｚｏｌ社製のアクリル酸アルキル（Ｃ１０〜Ｃ３０）、メタクリル酸アルキル（Ｃ１０〜Ｃ３０）及びアクリル酸から選ばれる２種類以上のモノマーからなる架橋型共重合体である商品名「Ｃａｒｂｏｐｏｌ  ＥＺ−４」；ＤＯＷ社製のアクリル酸アルキルと、アクリル酸又はメタクリル酸とからなる架橋型共重合体である商品名「ＡＣＵＳＯＬ  ８３０」等が挙げられる。 
非架橋タイプの（Ｃ）成分の市販品としては、例えばＬｕｂｒｉｚｏｌ社製のアクリル酸アルキル、メタクリル酸アルキル、アクリル酸及びメタクリル酸から選ばれる２種類以上のモノマーからなる共重合体である商品名「Ｎｏｖｅｔｈｉｘ  ＨＣ２００」等が挙げられる。
【００９４】
＜含有量＞
（Ａ）成分の含有量は、液体洗剤の総質量に対して、１５質量％以上であり、１５〜６０質量％が好ましく、３０〜５０質量％がより好ましい。（Ａ）成分の含有量が、１５質量％以上であれば十分な洗浄力が得られ、６０質量％以下であれば液体洗剤の保存安定性がより高まる。
【００９５】
（Ｂ）成分の含有量は、液体洗剤の総質量に対して、０．０１質量％以上が好ましく、０．２質量％以上がより好ましく、０．３質量％以上がさらに好ましく、０．５質量％以上が特に好ましい。また、（Ｂ）成分の含有量は、液体洗剤の総質量に対して、５質量％以下が好ましく、３質量％以下がより好ましく、２質量％以下がさらに好ましい。（Ｂ）成分の含有量が、０．０１質量％以上であれば液体洗剤がより構造化されやすく、また十分な触感付与効果も得られ、５質量％以下であれば液体洗剤の保存安定性や使用性がより高まる。
【００９６】
（Ｃ）成分の含有量は、液体洗剤の総質量に対して、０．０１質量％以上が好ましく、０．１質量％以上がより好ましく、０．５質量％以上がさらに好ましく、１質量％以上が特に好ましい。また、（Ｃ）成分の含有量は、液体洗剤の総質量に対して、８質量％以下が好ましく、５質量％以下がより好ましく、２．５質量％以下がさらに好ましい。（Ｃ）成分の含有量が、０．０１質量％以上であれば保存安定性がより高まり、８質量％以下であれば液体洗剤がより構造化されやすい。
【００９７】
（Ａ）成分／（Ｂ）成分で表される質量比（Ａ／Ｂ比）は１０〜４５００が好ましく、１０〜２００がより好ましく、２０〜１３０がさらに好ましい。Ａ／Ｂ比が、１０以上であれば液体洗剤の増粘を抑制でき、４５００以下であれば液体洗剤がより構造化されやすくなる。
（Ｂ）成分／（Ｃ）成分で表される質量比（Ｂ／Ｃ比）は０．０５〜１．２５であり、０．１〜１．２５が好ましく、０．２〜１．０がより好ましい。Ｂ／Ｃ比が、０．０５以上であれば液体洗剤が十分に構造化され、１．２５以下であれば液体洗剤の保存安定性が高まる。
（Ａ）成分／（Ｃ）成分で表される質量比（Ａ／Ｃ比）は５〜４５００が好ましく、５〜１００がより好ましく、１０〜５０がさらに好ましい。Ａ／Ｃ比が、５以上であれば液体洗剤の増粘を抑制でき、４５００以下であれば液体洗剤がより構造化されやすくなる。
（Ａ）成分／｛（Ｂ）成分＋（Ｃ）成分｝で表される質量比（Ａ／（Ｂ＋Ｃ）比）は５〜２０００が好ましく、５〜４５０がより好ましく、１０〜３０がさらに好ましい。Ａ／（Ｂ＋Ｃ）比が、５以上であれば液体洗剤の増粘を抑制でき、２０００以下であれば液体洗剤がより構造化されやすくなる。
【００９８】
なお、「（Ａ）成分／（Ｂ）成分で表される質量比」とは、液体洗剤中の（Ｂ）成分の含有量に対する、（Ａ）成分の含有量の割合（質量比）のことである。
「（Ｂ）成分／（Ｃ）成分で表される質量比」とは、液体洗剤中の（Ｃ）成分の含有量に対する、（Ｂ）成分の含有量の割合（質量比）のことである。
「（Ａ）成分／（Ｃ）成分で表される質量比」とは、液体洗剤中の（Ｃ）成分の含有量に対する、（Ａ）成分の含有量の割合（質量比）のことである。
「（Ａ）成分／｛（Ｂ）成分＋（Ｃ）成分｝成分で表される質量比」とは、液体洗剤中の（Ｂ）成分及び（Ｃ）成分の含有量の合計に対する、（Ａ）成分の含有量の割合（質量比）のことである。
【００９９】
＜溶媒＞
本発明の液体洗剤は、製造時のハンドリングのしやすさ、使用する際の水への溶解性等の観点から、溶媒として水を含有することが好ましい。
【０１００】
また、本発明の液体洗剤は、保存安定性の向上や、粘度を低下させる目的で、溶剤を含有してもよい。
溶剤としては、水混和性有機溶剤が挙げられ、具体的には、エタノール、プロピレングリコール、ポリエチレングリコール、ブチルカルビトールなどが挙げられる。これらの水混和性有機溶剤は、いずれか１種を単独で用いてもよく、２種以上を併用してもよい。
水混和性有機溶剤の含有量は、液体洗剤の総質量に対して、３〜２０質量％が好ましい。
【０１０１】
＜他の成分＞
液体洗剤は、本発明の効果を損なわない範囲内であれば、（Ａ）成分、（Ｂ）成分及び（Ｃ）成分以外の成分（他の成分）を含有してもよい。
他の成分としては、例えば金属イオン補足剤、酸化防止剤、洗浄性能向上剤・安定性向上剤、着色剤、乳濁化剤、香料、不溶粒子などが挙げられる。
【０１０２】
（金属イオン補足剤）
金属イオン補足剤としては、例えばマロン酸、コハク酸、リンゴ酸、ジグリコール酸、酒石酸、クエン酸などが挙げられる。これらの金属イオン補足剤は、いずれか１種を単独で用いてもよく、２種以上を併用してもよい。
金属イオン補足剤の含有量は、液体洗剤の総質量に対して、０．１〜２０質量％が好ましい。
【０１０３】
（酸化防止剤）
酸化防止剤としては、例えばマブチルヒドロキシトルエン、ジスチレン化クレゾール、亜硫酸ナトリウム、亜硫酸水素ナトリウムなどが挙げられる。これらの酸化防止剤は、いずれか１種を単独で用いてもよく、２種以上を併用してもよい。
酸化防止剤の含有量は、液体洗剤の総質量に対して、０．０１〜２質量％が好ましい。
【０１０４】
（洗浄性能向上剤・安定性向上剤）
洗浄性能向上剤・安定性向上剤としては、例えば酵素（プロテアーゼ、リパーゼ、セルラーゼ等）、風合い向上剤、アルカノールアミン等のアルカリビルダー、ハイドロトロープ剤、蛍光剤、移染防止剤、再汚染防止剤、パール剤、ソイルリリース剤などが挙げられる。これらの洗浄性能向上剤・安定性向上剤は、いずれか１種を単独で用いてもよく、２種以上を併用してもよい。
【０１０５】
（着色剤）
着色剤としては、例えばアシッドレッド１３８、Ｐｏｌａｒ  Ｒｅｄ  ＲＬＳ、アシッドイエロー２０３、アシッドブルー９、青色１号、青色２０５号、緑色３号、ターコイズＰ−ＧＲ（いずれも商品名）等の汎用の色素や顔料などが挙げられる。これらの着色剤は、いずれか１種を単独で用いてもよく、２種以上を併用してもよい。
着色剤の含有量は、液体洗剤の総質量に対して、０．００００５〜０．００５質量％が好ましい。
【０１０６】
（乳濁化剤）
乳濁化剤としては、例えばポリスチレンエマルション、ポリ酢酸ビニルエマルジョン等が挙げられ、通常、固形分３０〜５０質量％のエマルションなどが挙げられ、具体的にはポリスチレンエマルション（サイデン化学社製（商品名）サイビノールＲＰＸ−１９６  ＰＥ−３、固形分４０質量％）などが挙げられる。これらの乳濁化剤は、いずれか１種を単独で用いてもよく、２種以上を併用してもよい。
乳濁化剤の含有量は、液体洗剤の総質量に対して、０．０１〜０．５質量％が好ましい。
【０１０７】
（香料）
香料としては、例えば特開２００２−１４６３９９号公報に記載の香料成分などが挙げられる。これらの香料は、いずれか１種を単独で用いてもよく、２種以上を併用してもよい。
香料の含有量は、液体洗剤の総質量に対して、０．０１〜２質量％が好ましい。
【０１０８】
（不溶粒子）
液体洗剤は、液体洗剤を構成する成分に溶けにくい粒子（不溶粒子）を含有していてもよい。
不溶粒子としては、具体的に、カプセル粒子、特有の製品審美性を付与するためのビーズや真珠光沢剤、ベントナイト、カルボキシメチルセルロース（ＣＭＣ）などが挙げられる。不溶粒子は、いずれか１種を単独で用いてもよく、２種以上を併用してもよい。
【０１０９】
カプセル粒子は、高分子化合物で形成されたカプセル壁によって有効成分が内包されたものである。
カプセル粒子は、公知の方法により製造でき、例えば、界面重合法、ｉｎ−ｓｉｔｕ重合法等が挙げられる。
【０１１０】
カプセル壁を形成する高分子化合物としては、例えばポリアクリル酸系、ポリビニル系、ポリメタクリル酸系、メラミン系、ウレタン系等の合成高分子が挙げられる。これらは、いずれか１種を単独で用いてもよく、２種以上を併用してもよい。
有効成分としては、香料成分、日焼け止め成分（紫外線吸収剤、紫外線散乱剤等）などが挙げられる。
以下、高分子化合物で形成されたカプセル壁によって香料成分が内包されたカプセル粒子を「カプセル香料」ともいう。
【０１１１】
カプセル香料の具体例としては、例えば以下に示すカプセル香料Ａ、カプセル香料Ｂ、カプセル香料Ｃなどが挙げられる。
【０１１２】
カプセル香料Ａ：
カプセル香料Ａは、以下の香料成分を含む。
リモネン（０．１０質量％）、エチル２−メチルブチレート（３．５０質量％）、トリプラール（５．００質量％）、ガルバスコン（０．２０質量％）、スピロガルバノン（０．６０質量％）、シクラセット（９．００質量％）、シクラブート（０．１０質量％）、トリシクロデセニルアセテート（１９．００質量％）、ベルドックス（１８．００質量％）、ネクタリル（１５．００質量％）、テトラヒドロリナロール（１４．００質量％）、α−イオノン（０．５０質量％）、β−イオノン（１４．００質量％）、ジプロピレングリコール（１．００質量％）。
【０１１３】
カプセル香料Ｂ：
カプセル香料Ｂは、以下の香料成分を含む。
トリプラール（２．４０質量％）、シクラセット（１０．００質量％）、トリシクロデセニルプロピオネート（１０．００質量％）、イソプロピルメチル−２−ブチレート（１．７０質量％）、マンザネート（２．００質量％）、ベルドックス（１４．００質量％）、アリルアミルグリコレート（２．００質量％）、アリルシクロヘキシルプロピオネート（５．００質量％）、γ−デカラクトン（０．５０質量％）、γ−ウンデカラクトン（７．５０質量％）、α−ダマスコン（０．２５質量％）、ネロール（０．２０質量％）、ヘディオン（５．００質量％）、リリアール（１２．００質量％）、リナロール（２３．００質量％）、ｐ−ｔ−ブチルシクロヘキシルアセテート（０．２０質量％）、バニリン（０．１０質量％）、ライムオキサイド（２．４０質量％）、ジプロピレングリコール（１．７５質量％）。
【０１１４】
カプセル香料Ｃ：
カプセル香料Ｃは、以下の香料成分を含む。
ヘキシルサリチレート（３．７１質量％）、エチル２−メチルブチレート（３．３０質量％）、ジヒドロオイゲノール（８．４９質量％）、カンファー（１．４６質量％）、１，４−シネオール（１．２８質量％）、ベルドックス（９．０４質量％）、γ−ノナラクトン（０．８４質量％）、γ−デカラクトン（２．５８質量％）、γ−ウンデカラクトン（３．７０質量％）、アリルカプロエート（７．４７質量％）、ヘキシルアセテート（１．２７質量％）、ゲラニルプロピオネート（６．３８質量％）、プレニルアセテート（１．５２質量％）、アリルフェノキシアセテート（０．６０質量％）、ジメチルベンジルカルビニルブチレート（０．９５質量％）、ネクタリル（８．５４質量）、ゲラニルアセテート（１１．１３質量％）、リリアール（１１．５１質量％）、シクラメンアルデヒド（３．０５質量％）、アミルサリチレート（１．３９質量％）、イソイースーパー（１．０８質量％）、γ−メチルイオノン（１．３４質量％）、アンブロキサン（０．１３質量％）、ハバノライド（０．３７質量％）、アニスアルデヒド（８．４６質量％）、ライムオキサイド（０．４１質量％）。
【０１１５】
不溶粒子の含有量は、液体洗剤の総質量に対して、０．０１〜２０質量％が好ましい。
【０１１６】
＜物性＞
本発明の液体洗剤のｐＨは、４〜９が好ましく、４〜８がより好ましい。液体洗剤のｐＨが前記範囲内であれば、液体洗剤を長期に保存しても保存安定性が良好に維持される。
液体洗剤のｐＨとは、液体洗剤を２５℃に調整し、ｐＨメーター等により測定される値を意味する。
液体洗剤のｐＨは、硫酸、水酸化ナトリウム、水酸化カリウム、アルカノールアミン等のｐＨ調整剤を用いて調整すればよい。
【０１１７】
本発明の液体洗剤は、２５℃での回転数６０ｒｐｍで６０秒攪拌した後の粘度が１０００ｍＰａ・ｓ以下であることが好ましく、５〜８００ｍＰａ・ｓがより好ましく、５〜５００ｍＰａ・ｓがさらに好ましい。回転数６０ｒｐｍで６０秒攪拌した後の粘度が上記範囲内であれば、十分に粘度が低いので、例えば容器から液体洗剤を吐出する際の使用性に優れる。
【０１１８】
＜製造方法＞
本発明の液体洗剤の製造方法は特に限定されず、例えば（Ａ）成分と（Ｂ）成分と（Ｃ）成分と、必要に応じて他の成分とを溶媒に溶解し、所定のｐＨに調整する方法が挙げられる。
【０１１９】
＜作用効果＞
以上説明した本発明の液体洗剤においては、（Ａ）成分に、特定の質量比の（Ｂ）成分及び（Ｃ）成分を組み合わせることで、洗浄力を維持しつつ、低粘度でありながら構造化でき、しかも保存安定性にも優れる。
ところで、カプセル粒子等の、液体洗剤を構成する成分に溶けにくい粒子（不溶粒子）は、液体洗剤中で均一に分散しにくく、また均一に分散できたとしても時間の経過とともに不溶粒子が沈降したり浮遊したりしやすく、均一分散の状態を維持することは困難である。
しかし、本発明の液体洗剤であれば構造化するので、液体洗剤が不溶粒子を含有する場合、液体洗剤中に不溶粒子を均一分散でき、その状態を維持できる。
しかも、本発明の液体洗剤は粘度が低いので、使用性に優れる。加えて、本発明の液体洗剤は保存安定性にも優れるので、濃縮組成の配合であっても、液体洗剤に含まれる成分が沈殿したり分離したりしにくい。
本発明の液体洗剤は、衣料用の液体洗剤として好適である。
【実施例】
【０１２０】
以下、実施例を示して本発明を詳細に説明するが、本発明は以下の記載によって限定されるものではない。なお、各例で用いた成分の配合量は、特に断りのない限り純分換算値である。
【０１２１】
「使用原料」
（Ａ）成分として、以下に示す化合物を用いた。
・Ａ−１：ポリオキシエチレン脂肪酸メチルエステル（ＭＥＥ、ライオン社製、脂肪酸の炭素数１７〜１９、ＥＯの平均繰り返し数（ＥＯの平均付加モル数）１５、上記式（ａ１）中におけるＲ９が炭素数１６〜１８のアルキル基、Ｒ１０がエチル基、Ｒ１１がメチル基、ｍが１５のもの。）。
・Ａ−２：ポリオキシエチレンアルキルエーテル（ＡＥ（１５）、ライオン社製、アルキル基の炭素数１２〜１４、ＥＯの平均繰り返し数（ＥＯの平均付加モル数）１５、上記式（ａ２）中におけるＲ１２が炭素数１２〜１４のアルキル基、ｓが１５、ｔが０のもの。）。
・Ａ−３：ポリオキシエチレンポリオキシプロピレンアルキルエーテル（ＥＯＰＯ型ノニオン、アルキル基の炭素数１０〜１４、ＥＯの平均繰り返し数（ＥＯの平均付加モル数）５、ＰＯの平均繰り返し数（ＰＯの平均付加モル数）２、ＥＯ及びＰＯはブロック付加、上記式（ａ２）中におけるＲ１２が炭素数１０〜１４のアルキル基、ｓが５、ｔが２のもの。）。
・Ａ−４：直鎖アルキルベンゼンスルホン酸ナトリウム（ＬＡＳ、ライオン社製、アルキル基の炭素数１０〜１４）。
・Ａ−５：ポリオキシエチレンアルキルエーテル硫酸塩（ＡＥＳ、天然アルコール（Ｐ＆Ｇ社製の商品名「ＣＯ−１２７０」）に１モル相当のＥＯを付加した化合物）。
・Ａ−６：ヤシ脂肪酸ナトリウム（日油社製の商品名「椰子脂肪酸」を水酸化ナトリウムにより中和したもの）。
・Ａ−７：塩化アルキルトリメチルアンモニウム（ライオン・アクゾ社製の商品名「アーカード１２−３７ｗ」、アルキル基の炭素数１２〜１４、上記式（ａ３）中におけるＲ１３、Ｒ１４及びＲ１６がメチル基、Ｒ１５が炭素数１２〜１４のアルキル基、Ｚ−がＣｌ−のもの。）。
・Ａ−８：ステアリン酸ジメチルアミノプロピルアミド（長鎖脂肪族アミドジアルキル３級アミン、ライオン・スペシャリティ・ケミカルズ株式会社製の商品名「リポミンＡＰＡ１６８−６５Ｅ」。）。
【０１２２】
（Ｂ）成分として、以下に示す化合物を用いた。
・Ｂ−１：ジアリルジメチルアンモニウム・アクリルアミドコポリマー (Ｌｕｂｒｉｚｏｌ社製の商品名「マーコート５５０ＰＲ」)。
・Ｂ−２：ジアリルジメチルアンモニウム・アクリルアミドコポリマー (Ｌｕｂｒｉｚｏｌ社製の商品名「マーコート７４０」)。
・Ｂ−３：ジアリルジメチルアンモニウム・アクリルアミド・アクリル酸コポリマー (Ｌｕｂｒｉｚｏｌ社製の商品名「マーコート３９４０」)。
・Ｂ−４：ジアリルジメチルアンモニウム・アクリルアミドコポリマー (Ｌｕｂｒｉｚｏｌ社製の商品名「マーコート２２００」（粉）)。
・Ｂ−５：ジアリルジメチルアンモニウムポリマー (Ｌｕｂｒｉｚｏｌ社製の商品名「マーコート１００」)。
【０１２３】
（Ｃ）成分として、以下に示す化合物を用いた。
・Ｃ−１：アクリル酸アルキル、メタクリル酸アルキル、アクリル酸及びメタクリル酸から選ばれる２種類以上のモノマーからなる架橋型共重合体（Ｌｕｂｒｉｚｏｌ社製の商品名「Ｃａｒｂｏｐｏｌ  Ａｑｕａ３０」）。
・Ｃ−２：アクリル酸アルキルと、アクリル酸又はメタクリル酸とからなる架橋型共重合体（ＤＯＷ社製の商品名「ＡＣＵＳＯＬ  ８３０」）。
・Ｃ−３：アクリル酸アルキル、メタクリル酸アルキル、アクリル酸及びメタクリル酸から選ばれる２種類以上のモノマーからなる共重合体（Ｌｕｂｒｉｚｏｌ社製の商品名「Ｎｏｖｅｔｈｉｘ  ＨＣ２００」）。
・Ｃ−４：ポリアクリル酸（日本触媒社製の商品名「アクアリックＬ−ＤＬ」）。
・Ｃ−５：アクリル酸アルキル（Ｃ１０〜Ｃ３０）、メタクリル酸アルキル（Ｃ１０〜Ｃ３０）及びアクリル酸から選ばれる２種類以上のモノマーからなる架橋型共重合体（Ｌｕｂｒｉｚｏｌ社製の商品名「Ｃａｒｂｏｐｏｌ  ＥＺ−４」
・Ｃ−６：アクリル酸アルキル(Ｃ１〜Ｃ４及びＣ８)、メタクリル酸アルキル（Ｃ１〜Ｃ４及びＣ８）、アクリル酸及びメタクリル酸から選ばれる２種類以上のモノマーからなる架橋型共重合体（Ｌｕｂｒｉｚｏｌ社製の商品名「Ｃａｒｂｏｐｏｌ  Ａｑｕａ  ＳＦ−１」）。
【０１２４】
任意成分（Ｘ）として、以下に示す化合物等を用いた。なお、各成分の末尾に記載の数値は、液体洗剤中の含有量である。
・ＰＥＧ１０００：ポリエチレングリコール（ライオン化学社製の商品名「ＰＥＧ＃１０００−Ｌ６０」）・・・２質量％。
・エタノール：日本アルコール販売社製の商品名「特定アルコール９５度合成」・・・７質量％。
・安息香酸ナトリウム：東亞合成社製の商品名「安息香酸ナトリウム」・・・０．５質量％。
・クエン酸：一方社油脂工業社製の商品名「液体クエン酸」・・・０．１質量％。
・ｐ−ＴＳＨ：パラトルエンスルホン酸（関東化学社製）・・・０．５質量％。
・ＭＥＡ：モノエタノールアミン（日本触媒社製）・・・適量。
・ＮａＯＨ：水酸化ナトリウム（鶴見曹達社製）・・・適量。
・カプセル香料Ａ：上述したカプセル香料Ａ・・・０．１質量％。
・香料：特開２００２−１４６３９９号公報の表１１〜１８に記載の香料組成物Ａ・・・０．５質量％。
・イソチジアゾロン液：ローム・アンド・ハウス社製・・・０．００１質量％。
・ＢＨＴ：ジブチルヒドロキシトルエン・・・０．０１質量％。
・水：精製水・・・バランス。
なお、ＭＥＡ及びＮａＯＨの含有量の「適量」は、液体洗剤をｐＨ７．０に調整するのに要した量である。
水の含有量の「バランス」は、液体洗剤全体で１００質量％とするのに必要な量である。
【０１２５】
「実施例１〜２４、比較例１〜８」
＜液体洗剤の調製＞
表１〜３に示す配合組成に従い、水に、（Ａ）成分、（Ｂ）成分、（Ｃ）成分及び任意成分（Ｘ）（ただし、水、ＭＥＡ及びＮａＯＨを除く）を添加し、混合した後、ｐＨ調整剤（ＭＥＡ、ＮａＯＨ）を用い、混合液の２５℃におけるｐＨを７．０に調整して、液体洗剤を調製した。なお、ｐＨの測定には、ｐＨメーター（東亜ディーケーケー社製の製品名「ＨＭ−３０Ｇ」）を用いた。
得られた各例の液体洗剤について、以下のようにして、粘度を測定し、分散性、保存安定性、皮脂洗浄力を評価した。結果を表１〜３に示す。
【０１２６】
＜測定・評価＞
（粘度の測定）
液体洗剤をＰＳ１１瓶に８０ｇ充填し、恒温槽にて２５℃に調整した。ブルックフィールド型粘度計を用い、恒温にした試料液をセットした。回転数を６０ｒｐｍに設定し、６０秒後の粘度を測定した。
評価基準：
◎：粘度が５００ｍＰａ・ｓ以下である。
○：粘度が５００ｍＰａ・ｓより高く、１０００ｍＰａ・ｓ以下である。
×：粘度が１０００ｍＰａ・ｓより高い。
【０１２７】
（分散性の評価）
広口規格瓶（ＰＳ−Ｎｏ６瓶）に液体洗剤を３０ｇ充填し、これに不溶粒子としてビーズ（ＴＯＳＨＩＫＩ  ＰＩＧＭＥＮＴ．ＣＯ．ＬＴＤ製、「ＰＦＬ−ＲＥＤ  ７１５５Ｔ  Ｌｏｔ．０３０８」）を０．５ｇ加えて分散させた。２５℃の恒温槽に６０日保存した。保存期間中は１日毎に恒温槽から瓶を取り出して液体洗剤中のビーズの分散状態を目視確認し、下記評価基準に従って分散性を評価した。分散性に優れるほど、液体洗剤が十分に構造化したことを意味する。
評価基準：
◎：６０日間ビーズが液体洗剤中に均一に分散している。
○：３０〜５９日間ビーズが液体洗剤中に均一に分散している。
×：３０日未満でビーズが浮遊又は沈降している。
【０１２８】
（保存安定性の評価）
広口規格びん（ＰＳ−Ｎｏ６瓶）に液体洗剤を３０ｇ充填し、−５℃の恒温槽に１ヶ月保存した後、目視確認し、下記評価基準に従って保存安定性を評価した。
評価基準：
◎：透明であり、−５℃の環境下においても流動性がある。
○：透明であり、また−５℃の環境下では流動性がないものの、室温に戻すと流動性があり実用上問題がない。
×：沈殿又は浮遊物がある。
【０１２９】
（皮脂洗浄力の評価）
汚垢布として、顔や首周りの垢汚れを綿布に擦り付けて作製した「顔垢布」を使用した。洗濯液は、水１５Ｌに対して、液体洗剤６ｍＬを分散・溶解して調製した。
洗浄試験器としてＴｅｒｇ−Ｏ−ｍｅｔｅｒ（ＵＮＩＴＥＤ  ＳＴＡＴＥＳ  ＴＥＳＴＩＮＧ社製）を用い、汚垢布１０枚と、洗浄メリヤス布と、前記洗濯液とを該洗浄試験器に入れ、浴比３０倍に合わせて、１２０ｒｐｍ、１５℃で１０分間洗浄した。次に、二槽式洗濯機（三菱電機社製、品番「ＣＷ−Ｃ３０Ａ１−Ｈ１」）に移し、１分間脱水後、水道水（１５℃、４゜ＤＨ）３０Ｌ中で３分間濯ぎ、風乾した。
垢汚れを付けなかった綿布である未汚れ布、洗浄前の汚垢布及び洗浄後の汚垢布について、それぞれ反射率を色差計（日本電色社製の製品名「ＳＥ２００型」）で測定し、洗浄率（％）を以下の式で算出した。汚垢布１０枚について洗浄率（％）を算出し、その平均値を用いて、下記基準に基づいて皮脂洗浄力を評価した。
洗浄率（％）＝（洗浄前の汚垢布のＫ／Ｓ−洗浄後の汚垢布のＫ／Ｓ）／（洗浄前の汚垢布のＫ／Ｓ−未汚れ布のＫ／Ｓ）×１００
ただし、Ｋ／Ｓは式：Ｋ／Ｓ＝（１−Ｒ／１００）２／（２Ｒ／１００）で求められる値であり、Ｒは反射率（％）である。
評価基準：
◎：洗浄率が７０％以上である。
○：洗浄率が６０％以上７０％未満である。
×：洗浄率が６０％未満である。
【０１３０】
【表１】
2017075295.tif 000013
【０１３１】
【表２】
2017075295.tif 000014
【０１３２】
【表３】
2017075295.tif 000015
【０１３３】
表１、２から明らかなように、各実施例の液体洗剤は、粘度が低く、保存安定性や皮脂洗浄力に優れていた。また、各実施例の液体洗剤はビーズ（不溶粒子）の分散性に優れていることから、十分に構造化できていることが示された。
【０１３４】
一方、表３から明らかなように、（Ｂ）成分としてアクリルアミドポリマーを用い、（Ｃ）成分としてポリアクリル酸を用いた比較例１の液体洗剤は、粘度が高く、ビーズの分散性にも劣っていた。
（Ｃ）成分としてポリアクリル酸を用いた比較例２の液体洗剤は、粘度が高く、ビーズの分散性にも劣っていた。
（Ａ）成分を含まない比較例３の液体洗剤は、粘度が高く、皮脂洗浄力にも劣っていた。
（Ａ）成分の含有量が１４質量％である比較例４の液体洗剤は、粘度が高く、皮脂洗浄力にも劣っていた。
（Ｂ）成分を含まない比較例５の液体洗剤は、ビーズの分散性及び保存安定性に劣っていた。
（Ｃ）成分を含まない比較例６の液体洗剤は、ビーズの分散性及び保存安定性に劣っていた。
（Ｂ）成分／（Ｃ）成分で表される質量比が１．３３である比較例７の液体洗剤は、保存安定性に劣っていた。
（Ｂ）成分／（Ｃ）成分で表される質量比が０．０４である比較例８の液体洗剤は、ビーズの分散性に劣っていた。